(57)【要約】  【課題】  エアゾール容器に装着するだけで内容物を簡単に放出させることができる構成が極めて簡素なガス抜きキャップを提供すること。  【解決手段】  天板部５１１、及び天板部５１１の下方に周設された側壁部５１２から成り、天板部５１１に開口部５１３が形成されたキャップ本体５０１と、天板部５１１に揺動可能に連結され、押圧突起５２１を備えた押圧部材５０２と、からガス抜きキャップ７５０を構成し、ガス抜き時に、押圧部材５０２を下方へ内側へ揺動させて天板部５１１に係止し、押圧突起５０２でステム３５を押圧することによって、ガス抜きするようにした。  【選択図】  図１【特許請求の範囲】
【請求項１】
ステムを押圧して該ステムを通して内容物を噴射するエアゾール容器に装着されるキャップであって、
天板部と、該天板部の下方に周設された側壁部とから成り、該天板部に開口部が形成されたキャップ本体と、
押圧突起を備え、前記キャップ本体の天板部に揺動可能に連結された押圧部材と、を含み、
前記押圧部材をキャップ内側へ揺動させて該押圧部材を前記天板部に係止し、該キャップ本体をエアゾール容器に装着することによって該押圧突起でステムを押圧してガス抜きし得ることを特徴としたエアゾール容器のガス抜きキャップ。
【請求項２】
ステムを押圧して該ステムを通して内容物を噴射するエアゾール容器に装着されるキャップであって、
天板部と、
前記天板部の下方に周設され、下端部に前記エアゾール容器の巻締め部に嵌合可能な嵌合突起を備えた第一側壁部と、
前記天板部の上方に周設され、上端部に前記巻締め部に嵌合可能な嵌合突起を備えた第二側壁部と、を含み、
前記天板部から第二側壁部の上端部までの距離が、前記天板部から第一側壁部の下端部までの距離よりも小さく構成されており、前記第二側壁部を前記エアゾール容器の巻締め部に嵌合することによって前記天板部でステムを押圧してガス抜きし得ることを特徴としたエアゾール容器のガス抜きキャップ。
【請求項３】
ステムを押圧して該ステムを通して内容物を噴射するエアゾール容器に装着されるキャップであって、
天板部と、
前記天板部の下方に周設された側壁部と、を含み、
前記側壁部を前記エアゾール容器に圧入して取り付けることによって前記天板部でステムを押圧してガス抜きし得ることを特徴としたエアゾール容器のガス抜きキャップ。
【請求項４】
ステムを押圧して該ステムを通して内容物を噴射するエアゾール容器に装着されるキャップであって、
天板部と、
前記天板部の下方に周設され、下端部に前記エアゾール容器の一の巻締め部に嵌合可能な嵌合突起を備えた第一側壁部と、
前記天板部の上方に周設され、上端部に前記エアゾール容器の他の巻締め部に嵌合可能な嵌合突起を備えた第二側壁部と、を含み、
前記天板部から第二側壁部の上端部までの距離が、前記天板部から第一側壁部の下端部までの距離よりも小さく構成されており、前記第二側壁部を前記エアゾール容器の巻締め部に嵌合することによって前記天板部でステムを押圧してガス抜きし得ることを特徴としたエアゾール容器のガス抜きキャップ。
【請求項５】
ステムを押圧して該ステムを通して内容物を噴射するエアゾール容器に装着されるキャップであって、
前記ステムに着脱可能に装着され、噴射ノズルを備えた押ボタン部と、
前記押ボタン部の上方に設けられた天板部と、
前記天板部の上方に設けられ、上端部に前記エアゾール容器の巻締め部に嵌合可能な嵌合突起を備えた側壁部と、を含み、
前記ステムから前記押ボタン部を取り外し、前記側壁部を前記エアゾール容器の巻締め部に嵌合することによって前記天板部でステムを押圧してガス抜きし得ることを特徴としたエアゾール容器のガス抜きキャップ。
【発明の詳細な説明】
【技術分野】
【０００１】
本発明は、エアゾール容器のガス抜きキャップに関し、より詳しくは、化粧品、塗料、殺虫剤、プロパンガス等の内容物を充填したエアゾール容器に装着するだけで簡単に内容物を放出させることができるガス抜きキャップに関する。
【背景技術】
【０００２】
従来、エアゾール容器に装着して内容物を放出させるガス抜きキャップとして、特許文献１に記載のものが知られている。これは、ガス抜き時に、キャップの天板部に設けた折曲板をキャップ内側へ折り曲げ、この状態でキャップをエアゾール容器に装着することによって折曲板の押圧部で押ボタンを押圧してガス抜きを行うというものである。そして、ガス抜きしない通常使用時（以下、本明細書において単に「通常使用時」という）には、押ボタン等を囲むカバーキャップとして使用される。【０００３】
しかしながら、このガス抜きキャップは、内側へ折り曲げた折曲板をキャップ内で支えるための支持手段（固定板）を別個に設けなければならず、その分、キャップの構成要素が増え、製造コストの上昇を招く難点があった。また、通常使用時に、折曲板の押圧部や支持手段がキャップ内で大きく突出することになり、エアゾール容器の押ボタン等との干渉を回避する必要から、キャップ設計の自由度がかなり制限される難点があった。
【特許文献１】特開２００３−５４６６５号公報
【発明の開示】
【発明が解決しようとする課題】
【０００４】
本発明は、従来のガス抜きキャップに上記のような難点があったことに鑑みて為されたもので、エアゾール容器の押ボタン、ステム等を押圧する押圧部材をキャップ内で支えるための特別な支持手段を別個に設ける必要がなく、構成が極めて簡素なガス抜きキャップを提供することにある。【０００５】
また、本発明の他の技術的課題は、通常使用時に、押圧部材がキャップ内で大きく突出することがなく、エアゾール容器の押ボタンやステム等と干渉するおそれのないガス抜きキャップを提供することにある。
【課題を解決するための手段】
【０００６】
本発明は、ステムを押圧して該ステムを通して内容物を噴射するエアゾール容器に装着されるキャップであって、
天板部と該天板部の下方に周設された側壁部とから成り、該天板部に開口部が形成されたキャップ本体と、押圧突起を備え、前記キャップ本体の天板部に揺動可能に連結された押圧部材と、を含み、
前記押圧部材をキャップ内側へ揺動させて該押圧部材を前記天板部に係止し、該キャップ本体をエアゾール容器に装着することによって該押圧突起でステムを押圧してガス抜きし得ることを特徴とする。【０００７】
また、本発明は、ステムを押圧して該ステムを通して内容物を噴射するエアゾール容器に装着されるキャップであって、
天板部と、前記天板部の下方に周設され、下端部に前記エアゾール容器の巻締め部に嵌合可能な嵌合突起を備えた第一側壁部と、前記天板部の上方に周設され、上端部に前記巻締め部に嵌合可能な嵌合突起を備えた第二側壁部と、を含み、
前記天板部から第二側壁部の上端部までの距離が、前記天板部から第一側壁部の下端部までの距離よりも小さく構成されており、前記第二側壁部を前記エアゾール容器の巻締め部に嵌合することによって前記天板部でステムを押圧してガス抜きし得ることを特徴とする。【０００８】
更にまた、本発明は、ステムを押圧して該ステムを通して内容物を噴射するエアゾール容器に装着されるキャップであって、
天板部と、前記天板部の下方に周設された側壁部と、を含み、
前記側壁部を前記エアゾール容器に圧入して取り付けることによって前記天板部でステムを押圧してガス抜きし得ることを特徴とする。【０００９】
更にまた、本発明は、ステムを押圧して該ステムを通して内容物を噴射するエアゾール容器に装着されるキャップであって、
天板部と、前記天板部の下方に周設され、下端部に前記エアゾール容器の一の巻締め部に嵌合可能な嵌合突起を備えた第一側壁部と、前記天板部の上方に周設され、上端部に前記エアゾール容器の他の巻締め部に嵌合可能な嵌合突起を備えた第二側壁部と、を含み、  前記天板部から第二側壁部の上端部までの距離が、前記天板部から第一側壁部の下端部までの距離よりも小さく構成されており、前記第二側壁部を前記エアゾール容器の巻締め部に嵌合することによって前記天板部でステムを押圧してガス抜きし得ることを特徴とする。【００１０】
更にまた、本発明は、ステムを押圧して該ステムを通して内容物を噴射するエアゾール容器に装着されるキャップであって、
前記ステムに着脱可能に装着され、噴射ノズルを備えた押ボタン部と、前記押ボタン部の上方に設けられた天板部と、前記天板部の上方に設けられ、上端部に前記エアゾール容器の巻締め部に嵌合可能な嵌合突起を備えた側壁部と、を含み、
前記ステムから前記押ボタン部を取り外し、前記側壁部を前記エアゾール容器の巻締め部に嵌合することによって前記天板部でステムを押圧してガス抜きし得ることを特徴とする。
【発明の効果】
【００１１】
本発明に係るガス抜きキャップによれば、エアゾール容器の押ボタン、ステム等を押圧する押圧部材をキャップ内で支えるための特別な支持手段を別個に設ける必要がないので、構成が極めて簡素で安価なガス抜きキャップを提供することができる。【００１２】
しかも、通常使用時に、押圧部材が大きく突出することがないので、従来品のように、エアゾール容器の押ボタン等との干渉を考慮する必要がなく設計の自由度を確保することができる。
【発明を実施するための最良の形態】
【００１３】
以下、本発明に係るエアゾール容器のガス抜きキャップについて、図１及び図２を参照しながら説明する。【００１４】
本実施形態のガス抜きキャップ７５０は、キャップ本体５０１と、キャップ本体５０１の天板部５１１に揺動可能に連結された押圧部材５０２とから構成されている。【００１５】
キャップ本体５０１は、円板状の天板部５１１と、天板部５１１の周縁部の下方に周設された円筒状の側壁部５１２とから構成されている。そして、天板部５１１の中程部が直方体状に窪んでおり、この天板部５１１の窪み５１４の底部に円形の開口部５１３が開設されている。また、側壁部５１２の下端部の内面には、その全周に亘って嵌合突起５１７が設けられている。この嵌合突起５１７をエアゾール容器３の巻締め部３３の外側の凹部に着脱自在に嵌合することによって、ガス抜きキャップ７５０がステム３５及び押ボタン３７を囲むようにエアゾール容器３に着脱自在に装着される。この巻締め部３３は、エアゾール容器３の容器本体３１とトップドーム３２とを気密状態に連結するものである。また、側壁部５１２の中程には通孔５１５が開設されている。【００１６】
一方、押圧部材５０２は、四角板状の頭部５２０と円柱状の押圧突起５２１とから構成されている。そして、図１に示すように、頭部５２０の一端が薄肉部５２２を介して上記天板部５１１の窪み５１４に揺動可能に連結されているとともに、頭部５２０の他端側が破断部５２３を介して分離可能に連結されている。この破断部５２３によって、通常使用時に押圧部材５０２が窪み５１４内で意図せず揺動してしまうのを防いでいる。また、窪み５１４の内壁面における上記薄肉部５２２の反対側には、押圧部材５０２の頭部５２０の他端部を係止するための係止突起５１６が設けられている。【００１７】
ガス抜きキャップ７５０は、通常使用時には、図１に示すように、押圧部材５０２の押圧突起５２１が上方に上げられて窪み５１４内に位置している。この状態で、ガス抜きキャップ７５０がエアゾール容器３に適宜に着脱され、通常の使用に供される。【００１８】
ガス抜きをするときには、図２に示すように、ガス抜きキャップ７５０をエアゾール容器３に装着したまま、破断部５２３を破断して押圧部材５０２をキャップ内側へ揺動させ、その頭部５２０を窪み５１４の底部に当接させるとともに、頭部５２０の他端部を係止突起５１６に係止させる。このことで、押圧突起５２１が開口部５１３を通してキャップ内側へ突出し、エアゾール容器３の押ボタン３７及びステム３５の押圧状態が維持され、エアゾール容器３の内容物を、押ボタン３７及びステム３５を通してキャップ本体５０１内へ放出させ、さらに通孔５１５を通して外部へ放出させる。【００１９】
このように、ガス抜きキャップ７５０によれば、キャップ本体５０１をエアゾール容器３に装着したまま、押圧部材５０２をキャップ内側へ揺動させるだけで簡単にガス抜き操作を行うことができる。また、通常使用時において、押圧部材５０２がキャップ内へ突出することがなく、従来品のように、エアゾール容器３の押ボタン３７等との干渉を考慮する必要がない。【００２０】
以上、本発明に係るガス抜きキャップについて代表的な実施形態を説明したが、本発明に係るガス抜きキャップはその他の形態でも実施することができる。【００２１】
例えば、図３及び図４に示すガス抜きキャップ７７０のように構成しても良い。ガス抜きキャップ７７０は、天板部７１１と、前記天板部７１１の下方に周設され、下端部に前記エアゾール容器の巻締め部に嵌合可能な嵌合突起７１３を備えた第一側壁部７１２と、前記天板部７１１の上方に周設され、上端部に前記巻締め部に嵌合可能な嵌合突起７１５を備えた第二側壁部７１４とから構成されている。そして、前記天板部７１１から第二側壁部７１４の上端部までの距離が、前記天板部７１１から第一側壁部７１２の下端部までの距離よりも小さく構成されており、前記第二側壁部７１４を前記エアゾール容器の巻締め部に嵌合することによって前記天板部でステムを押圧してガス抜きし得ることを特徴としている。【００２２】
即ち、図３に示すように、ガス抜きキャップ７７０は、円筒状の第一側壁部７１２と第一側壁部７１２と同径円筒状の第二側壁部７１４とが同心状態で上下に連続しており、この円筒内面の中程に天板部７１１が傾斜状態に配設されて構成されている。そして、この天板部７１１の中央部から第二側壁部７１４の上端部までの距離Ｓを、前記天板部７１１から第一側壁部７１２の下端部までの距離Ｔよりも小さくしてある。そして、第一側壁部７１２の下端部の外面に、その全周に亘って嵌合突起７１３が設けられ、第二側壁部７１４の上端部の外面に、その全周に亘って嵌合突起７１５が設けられている。また、第二側壁部７１４の中程には、通孔７１６が開設されている。【００２３】
ガス抜きキャップ７７０は、通常使用時には、図３に示すように、第一側壁部７１２の嵌合突起７１３をエアゾール容器３の巻締め部３６の内側の凹部に着脱自在に嵌合することによって、ガス抜きキャップ７７０がステム３５を囲むようにエアゾール容器３に着脱自在に装着される。この巻締め部３６は、ステム３５を備えるバルブユニット３４とトップドーム３２とを気密状態に連結するものである。このガス抜きキャップ７７０は、例えばカセットコンロ用のエアゾール容器のように、ステム３５に押ボタンが取付けられていないエアゾール容器に好適に使用できる。【００２４】
ガス抜きをするときには、図４に示すように、ガス抜きキャップ７７０をエアゾール容器３から取り外した後、ガス抜きキャップ７７０を反転させ、その第二側壁部７１４の嵌合突起７１５をエアゾール容器３の巻締め部３６の内側凹部に嵌合させる。このことで、天板部７１１でエアゾール容器３のステム３５を押圧して、エアゾール容器３の内容物を、ステム３５を通してガス抜きキャップ７７０内へ放出させ、さらに通孔７１６を通して外部へ放出させる。【００２５】
このように、ガス抜きキャップ７７０によれば、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。また、天板部７１１が傾斜状態に設けられているので、天板部７１１でステム３５を押圧する際、天板部７１１がステム３５の噴射孔を塞いでしまうこともない。【００２６】
なお、このガス抜きキャップ７７０にあっては、天板部７１１の周縁部に直接、第一側壁部７１２及び第二側壁部７１４を設けているが、本発明は決してこれに限定されるものではなく、図５〜図８に示すガス抜きキャップ７７５のように、天板部７５１の周縁部に直接、内壁部７５７を設け、この内壁部７５７を介して、第二側壁部７５４及び第一側壁部７５２を設けるようにしても良い。【００２７】
即ち、ガス抜きキャップ７７５は、図６に示すように、略円板形状の傾斜した天板部７５１の周縁部から上方へ向けて略円筒形状の内壁部７５７が立設されており、この内壁部７５７の上端部から外方へ向けて水平に上壁部７５８が設けられている。そして、この上壁部７５８の外周縁部から下方へ向けて略円筒形状の第二側壁部７５４が設けられ、更にこの第二側壁部７５４から下方へ向けて略円筒形状の第一側壁部７５２が設けられている。第二側壁部７５４と第一側壁部７５２とは上下に連続して一体に形成されている。【００２８】
そして、図７に示すように、ガス抜きキャップ７７５においても、上記ガス抜きキャップ７７０と同様に、天板部７５１の中央部から第二側壁部７５４の上端部までの距離Ｓ１を、天板部７５１の中央部から第一側壁部７５２の下端部までの距離Ｔ１よりも小さくしてあり、第一側壁部７５２の下端部の外面に、その全周に亘って嵌合突起７５３が設けられ、第二側壁部７５４の上端部の外面に、その全周に亘って嵌合突起７５５が設けられている。また、図５及び図７に示すように、ガス抜きキャップ７７５の上部には、内壁部７５７、上壁部７５８、及び第二側壁部７５４に亘って通し溝７５６が形成されている。【００２９】
ガス抜きキャップ７７５は、通常使用時には、図７に示すように、第一側壁部７５２の嵌合突起７５３をエアゾール容器３の巻締め部３６の内側の凹部に着脱自在に嵌合することによって、ガス抜きキャップ７７５がステム３５を囲むようにエアゾール容器３に着脱自在に装着される。【００３０】
ガス抜きをするときには、図８に示すように、ガス抜きキャップ７７５をエアゾール容器３から取り外した後、ガス抜きキャップ７７５を反転させ、その第二側壁部７５４の嵌合突起７５５をエアゾール容器３の巻締め部３６の内側凹部に嵌合させる。このことで、天板部７５１でエアゾール容器３のステム３５を押圧して、エアゾール容器３の内容物を、ステム３５及び通し溝７５６を通して外部へ放出させる。【００３１】
このように、ガス抜きキャップ７７５によれば、上述したガス抜きキャップ７７０と同様、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。【００３２】
また、第二側壁部７５４に設けた通し溝７５６を通して内容物をキャップの側方へ放出させることができるので、ガス抜きキャップ７７５をエアゾール容器３に嵌合する際、作業者の手や指先等に内容物が付着してしまうおそれもない。この通し溝７５６または上記ガス抜きキャップ７７０の通孔７１６のサイズは、内容物の側方放出部分を視認し易くするために大きく形成することが好ましい。また、天板部７５１を傾斜させているので、天板部７５１でステム３５を押圧する際、天板部７５１がステム３５の噴射孔を塞いでしまうこともない。【００３３】
更にまた、図９に示すガス抜きキャップ７７６ように構成しても良い。ガス抜きキャップ７７６は、図１０に示すように、略円板形状の傾斜した天板部７６１の周縁部から上方へ向けて略円筒形状の内壁部７６７が立設されており、この内壁部７６７の上端部から外方へ向けて水平に上壁部７６８が設けられている。そして、この上壁部７６８の外周縁部から下方へ向けて略円筒形状の第二側壁部７６４が設けられ、更にこの第二側壁部７６４から下方へ向けて略円筒形状の第一側壁部７６２が設けられている。第二側壁部７６４と第一側壁部７６２とは上下に連続して一体に形成されている。【００３４】
そして、図１１に示すように、ガス抜きキャップ７７６においても、上記ガス抜きキャップ７７０と同様、天板部７６１の中央部から第二側壁部７６４の上端部までの距離Ｓ２を、天板部７６１の中央部から第一側壁部７６２の下端部までの距離Ｔ２よりも小さくしてあり、第一側壁部７６２の下端部の外面に、その全周に亘って嵌合突起７６３が設けられ、第二側壁部７６４の上端部の外面に、その全周に亘って嵌合突起７６５が設けられている。また、図９及び図１１に示すように、ガス抜きキャップ７７６の上部外側には、第二側壁部７６４の上部に通し溝７６６が形成されている。【００３５】
ガス抜きキャップ７７６は、通常使用時には、図１１に示すように、第一側壁部７６２の嵌合突起７６３をエアゾール容器３の巻締め部３６の内側の凹部に着脱自在に嵌合することによって、ガス抜きキャップ７７６がステム３５を囲むようにエアゾール容器３に着脱自在に装着される。【００３６】
ガス抜きをするときには、図１２に示すように、ガス抜きキャップ７７６をエアゾール容器３から取り外した後、ガス抜きキャップ７７６を反転させ、その第二側壁部７６４の嵌合突起７６５をエアゾール容器３の巻締め部３６の内側凹部に嵌合させる。このことで、天板部７６１でエアゾール容器３のステム３５を押圧して、エアゾール容器３の内容物を、ステム３５及び通し溝７６６を通して外部へ放出させる。【００３７】
このように、ガス抜きキャップ７７６によれば、上述したガス抜きキャップ７７０と同様、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。【００３８】
また、第二側壁部７６４に設けた通し溝７６６を通して内容物をキャップの側方へ放出させることができるので、ガス抜きキャップ７７６をエアゾール容器３に嵌合する際、作業者の手や指先等に内容物が付着してしまうおそれもない。また、天板部７６１を傾斜させているので、天板部７６１でステム３５を押圧する際、天板部７６１がステム３５の噴射孔を塞いでしまうこともない。【００３９】
更にまた、図１３に示すガス抜きキャップ７８０のように構成しても良い。ガス抜きキャップ７８０は、天板部８１１と、前記天板部８１１の下方に周設された側壁部８１２とを含んで構成されている。そして、前記側壁部８１２を前記エアゾール容器に圧入して取り付けることによって前記天板部でステムを押圧してガス抜きし得ることを特徴としている。【００４０】
即ち、ガス抜きキャップ７８０は、図１３に示すように、半球殻状の天板部８１１と、天板部８１１の周縁部の下方に周設された円筒状の側壁部８１２とから構成されており、天板部８１１に通孔８１３が開設されている。また、側壁部８１２の内径は、ステム３５を支えるバルブユニット３４の突起３０の外径より若干小さく形成されている。【００４１】
そして、ガス抜きをするときには、ガス抜きキャップ７８０をステム３５に被せて、天板部８１１の内面でステム３５を押圧しながら、その側壁部８１２をエアゾール容器３の突起３０の外側に圧入して固定する。このことで、ステム３５の押圧状態が維持され、エアゾール容器３の内容物を、ステム３５を通してガス抜きキャップ７８０内へ放出させ、さらに通孔８１３を通して外部へ放出させるのである。【００４２】
このように、ガス抜きキャップ７８０によれば、キャップをエアゾール容器３に圧入するだけで、簡単かつ確実にガス抜き作業を行うことができる。また、その構成が極めてシンプルなので、極めて安価なガス抜きキャップを市場に提供することができる。なお、ここでは、ガス抜きキャップ７８０をバルブユニット３４の突起３０の外側に圧入する例を説明しているが、本発明は勿論これに限定されるものではなく、例えば、ガス抜きキャップを、エアゾール容器３の巻締め部３６の内側または外側に圧入して固定しても良く、また、エアゾール容器３の巻締め部３３の内側または外側に圧入して固定しても良い。【００４３】
更にまた、図１４〜図１６に示すガス抜きキャップ８５０のように構成しても良い。ガス抜きキャップ８５０は、天板部８５１と、天板部８５１の下方に設けられ、下端部にエアゾール容器の一の巻締め部に嵌合可能な嵌合突起８５３を備えた第一側壁部８５２と、前記天板部８５１の上方に設けられ、上端部にエアゾール容器の他の巻締め部に嵌合可能な嵌合突起８５５を備えた第二側壁部８５４とから構成されている。そして、前記天板部８５１から第二側壁部８５４の上端部までの距離が、前記天板部８５１から第一側壁部８５２の下端部までの距離よりも小さく構成されており、前記第二側壁部８５４を前記エアゾール容器の巻締め部に嵌合することによって前記天板部で押ボタン及びステムを押圧してガス抜きし得ることを特徴としている。【００４４】
即ち、ガス抜きキャップ８５０は、図１４及び図１５に示すように、円板形状の水平な天板部８５１の周縁部から上方へ向けて略円筒形状の第二側壁部８５４が立設され、この第二側壁部８５４の上端部から外方へ向けて水平に上壁部８５７が設けられている。そして、この上壁部８５７の外周縁部から下方へ向けて略円筒形状の外壁部８５８が設けられ、更にこの外壁部８５８から下方へ向けて略円筒形状の第一側壁部８５２が設けられている。外壁部８５８と第一側壁部８５２とは上下に連続して一体に形成されている。【００４５】
そして、天板部８５１の中央部から第二側壁部８５４の上端部までの距離Ｓ３を、天板部８５１の中央部から第一側壁部８５２の下端部までの距離Ｔ３よりも小さくしてある。また、第一側壁部８５２の下端部の内面に、複数の嵌合突起８５３が設けられ、第二側壁部８５４の上端部の内面に、複数の嵌合突起８５５が設けられている。また、図１４及び図１５に示すように、ガス抜きキャップ８５０の上部には、第二側壁部８５４、上壁部８５７、及び外壁部８５８に亘って通し溝８５６が形成されている。【００４６】
ガス抜きキャップ８５０は、通常使用時には、図１５に示すように、第一側壁部８５２の嵌合突起８５３をエアゾール容器３の外側の巻締め部３３の外側凹部に着脱自在に嵌合することによって、ガス抜きキャップ８５０がステム３５及び押ボタン３７を囲むようにエアゾール容器３に着脱自在に装着される。【００４７】
ガス抜きをするときには、図１６に示すように、ガス抜きキャップ８５０をエアゾール容器３から取り外した後、ガス抜きキャップ８５０を反転させ、その第二側壁部８５４の嵌合突起８５５をエアゾール容器３の内側の巻締め部３６の外側凹部に嵌合させる。このことで、天板部８５１でエアゾール容器３の押ボタン３７及びステム３５を押圧して、エアゾール容器３の内容物を、ステム３５、押ボタン３７、及び通し溝８５６を通して外部へ放出させる。【００４８】
このように、ガス抜きキャップ８５０によれば、キャップ自体を反転させてそのままエアゾール容器３の巻締め部３６に取り付けるだけで、簡単にガス抜き操作を行うことができる。また、その構造が極めてシンプルなので、極めて安価なガス抜きキャップを市場に提供し得る。更にまた、第二側壁部８５４に設けた通し溝８５６を通して内容物をキャップの側方へ放出させることができるので、ガス抜きキャップ８５０をエアゾール容器３に嵌合する際、作業者の手や指先等に内容物が付着してしまうおそれもない。この通し溝８５６のサイズは、内容物の側方放出部分を視認し易くするために大きく形成することが好ましい。【００４９】
更にまた、図１７〜図１９に示すガス抜きキャップ８６０のように構成しても良い。ガス抜きキャップ８６０は、天板部８６１と、天板部８６１の下方に設けられ、下端部にエアゾール容器の一の巻締め部に嵌合可能な嵌合突起８６３を備えた第一側壁部８６２と、前記天板部８６１の上方に設けられ、上端部にエアゾール容器の他の巻締め部に嵌合可能な嵌合突起８６５を備えた第二側壁部８６４とを含んで構成されている。そして、前記天板部８６１から第二側壁部８６４の上端部までの距離が、前記天板部８６１から第一側壁部８６２の下端部までの距離よりも小さく構成されており、前記第二側壁部８６４を前記エアゾール容器の巻締め部に嵌合することによって前記天板部でステムを押圧してガス抜きし得ることを特徴としている。【００５０】
即ち、ガス抜きキャップ８６０は、図１７及び図１８に示すように、略円板形状の傾斜した天板部８６１の周縁部から上方へ向けて略円筒形状の内壁部８６７が立設され、この内壁部８６７の上端部から外方へ向けて水平に第一上壁部８６８が設けられ、この第一上壁部８６８の外周縁部から下方へ向けて略円筒形状の第二側壁部８６４が設けられている。そして更に、この第二側壁部８６４の下端部から外方へ向けて水平に第二上壁部８６９が設けられ、この第二上壁部８６９の外周縁部から上方へ向けて略円筒形状の中壁部８７０が設けられ、この中壁部８７０の上端部から外方へ向けて水平に第三上壁部８７１が設けられ、この第三上壁部８７１の外周縁部から下方へ向けて略円筒形状の外壁部８７２が設けられている。そして、この外壁部８７２から下方へ向けて略円筒形状の第一側壁部８６２が設けられている。外壁部８７２と第一側壁部８６２とは上下に連続して一体に形成されている。このように、ガス抜きキャップ８６０の上部には、第二側壁部８６４、第二上壁部８６９及び中壁部８７０によって、エアゾール容器３の内側の巻締め部３６を受入れ可能な環状溝部８７３が形成されている。【００５１】
そして、天板部８６１の中央部から第二側壁部８６４の上端部までの上下方向の距離Ｓ４を、天板部８６１の中央部から第一側壁部８６２の下端部までの距離Ｔ４よりも小さくしてある。また、第一側壁部８６２の下端部の内面に、複数の嵌合突起８６３が設けられ、第二側壁部８６４の上端部の外面に、複数の嵌合突起８６５が設けられている。また、図１７及び図１８に示すように、ガス抜きキャップ８６０の上部には、内壁部８６７、第一上壁部８６８、第二側壁部８６４、第二上壁部８６９、中壁部８７０、第三上壁部８７１、及び外壁部８７２に亘って、環状溝部８７３を切るように通し溝８６６が形成されている。【００５２】
ガス抜きキャップ８６０は、通常使用時には、図１８に示すように、第一側壁部８６２の嵌合突起８６３をエアゾール容器３の外側の巻締め部３３の外側凹部に着脱自在に嵌合することによって、ガス抜きキャップ８６０がステム３５及び押ボタン３７を囲むようにエアゾール容器３に着脱自在に装着される。【００５３】
ガス抜きをするときには、図１９に示すように、ガス抜きキャップ８６０をエアゾール容器３から取り外し、ステム３５から押ボタンを取り外した後、ガス抜きキャップ８６０を反転させ、その第二側壁部８６４の嵌合突起８６５をエアゾール容器３の内側の巻締め部３６の内側凹部に嵌合させる。このことで、天板部８６１でエアゾール容器３のステム３５を押圧して、エアゾール容器３の内容物を、ステム３５及び通し溝８６６を通して外部へ放出させる。【００５４】
このように、ガス抜きキャップ８６０によれば、キャップ自体を反転させてエアゾール容器３の巻締め部３６に取り付けるだけで、簡単にガス抜き操作を行うことができる。また、その構造が極めてシンプルなので、極めて安価なガス抜きキャップを市場に提供し得る。更にまた、通し溝８６６を通して内容物をキャップの側方へ放出させることができるので、ガス抜きキャップ８６０をエアゾール容器３に嵌合する際、作業者の手や指先等に内容物が付着してしまうおそれもない。この通し溝８６６のサイズは、内容物の側方放出部分を視認し易くするために大きく形成することが好ましい。また、天板部８６１を傾斜させているので、天板部８６１でステム３５を押圧する際、天板部８６１がステム３５の噴射孔を塞いでしまうこともない。【００５５】
更にまた、図２０〜図２２に示すガス抜きキャップ９００のように構成しても良い。ガス抜きキャップ９００は、エアゾール容器３のステム３５に着脱可能に装着される押ボタン部９５０と、押ボタン部９５０の上方に設けられた天板部９６０と、天板部９６０の上方に設けられた側壁部９７０とから構成されている。【００５６】
押ボタン部９５０は、図２１に示すように、エアゾール容器３のステム３５を挿入可能な挿入孔９５１と、エアゾール容器３の内容物を噴射可能な噴射ノズル９５２と、噴射ノズル９５２と挿入孔９５１とを連通する通路９５３と、を備えている。この押ボタン部９５０を押し下げてステム３５をエアゾール容器３側へ押圧することによって、ステム３５、挿入孔９５１、及び通路９５３を通して、噴射ノズル９５２から内容物を噴射する。【００５７】
天板部９６０は、略円板形状を成し、上記押ボタン部９５０の上部に傾斜して一体に設けられている。天板部９６０の上面の中央には、ステム３５を受入れ可能な受入凹部９６１が形成されており、この受入凹部９６１の底面９６２は、天板部９６０の上部傾斜面の同一角度で傾斜している。【００５８】
側壁部９７０は、上記天板部９６０の外周縁部から上方に向けて立設され、略円筒形状を成している。側壁部９７０の上端部の内面には、複数の嵌合突起９７１が設けられている。また、図２０及び図２１に示すように、天板部９６０の傾斜面の下方部分において、側壁部９７０の一部を切り欠くように通し溝９７２が形成されている。【００５９】
ガス抜きキャップ９００は、通常使用時には、図２１に示すように、その押ボタン部９５０においてエアゾール容器３のステム３５に装着される。そして、側壁部９７０の通し溝９７２を通して天板部９６０の傾斜面に指等を当てて、ガス抜きキャップ９００全体を押し下げることによって、噴射ノズル９５２から内容物を噴射する。噴射時には、天板部９６０の傾斜面に当てた指先を側壁部９７０で囲うことができるので、噴射内容物が指先に付着することがない。【００６０】
ガス抜きをするときには、図２２に示すように、ガス抜きキャップ９００をエアゾール容器３から取り外した後、ガス抜きキャップ９００を反転させ、その側壁部９７０の嵌合突起９７１をエアゾール容器３の内側の巻締め部３６の外側凹部に嵌合させる。このことで、天板部９６０の受入凹部９６１の底面９６２でエアゾール容器３のステム３５を押圧して、エアゾール容器３の内容物を、ステム３５、受入凹部９６１、及び通し溝９７２を通して外部へ放出させる。【００６１】
このように、ガス抜きキャップ９００によれば、キャップを反転させてエアゾール容器３の巻締め部３６に取り付けるだけで、簡単にガス抜き操作を行うことができる。また、押ボタン部が一体に形成されているので、押ボタン部と一緒に廃棄処分することができる。更にまた、側壁部９７０に設けた通し溝９７２を通して内容物をキャップの側方へ放出させることができるので、反転させたガス抜きキャップ９００をエアゾール容器３に嵌合する際、作業者の手や指先等に内容物が付着してしまうおそれもない。この通し溝９７２のサイズは、内容物の側方放出部分を視認し易くするために大きく形成することが好ましい。また、通し溝９７２を大きく形成すれば、通常使用時において、天板部９６０の傾斜面に指等を当て易くなり、その使い勝手を向上させることができる。また、ガス抜きキャップ９００によれば、天板部９６０の受入凹部９６１の底面９６２を、通し溝９７２の方向へ傾斜させているので、底面９６２でステム３５を押圧する際、底面９６２がステム３５の噴射孔を塞いでしまうこともない。【００６２】
本発明はその趣旨を逸脱しない範囲内で、当業者の知識に基づき種々なる改良、修正、変形を加えた態様で実施し得るものである。また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【図面の簡単な説明】
【００６３】
【図１】本発明に係るガス抜きキャップの通常使用時の断面図である。
【図２】同ガス抜きキャップの説明図であり、同図（ａ）はガス抜き時の断面図であり、同図（ｂ）はガス抜き時の平面図である。
【図３】本発明に係るガス抜きキャップの変形例の通常使用時の断面図である。
【図４】同ガス抜きキャップのガス抜き時の断面図である。
【図５】本発明に係るガス抜きキャップの他の変形例の説明図であり、同図（ａ）は平面図であり、同図（ｂ）は正面図である。
【図６】同ガス抜きキャップにおける図１５中のＡ−Ａ線断面図である。
【図７】同ガス抜きキャップにおける図１５中のＢ−Ｂ線断面図である。
【図８】同ガス抜きキャップのガス抜き時の断面図である。
【図９】本発明に係るガス抜きキャップの更に他の変形例の説明図であり、同図（ａ）は平面図であり、同図（ｂ）は正面図である。
【図１０】同ガス抜きキャップにおける図９中のＡ−Ａ線断面図である。
【図１１】同ガス抜きキャップにおける図９中のＢ−Ｂ線断面図である。
【図１２】同ガス抜きキャップのガス抜き時の断面図である。
【図１３】本発明に係るガス抜きキャップの更に他の変形例のガス抜き時の断面図である。
【図１４】本発明に係るガス抜きキャップの更に他の変形例の平面図である。
【図１５】同ガス抜きキャップにおける図１４中のＡ−Ａ線断面図であり、通常使用時の説明図である。
【図１６】同ガス抜きキャップのガス抜き時の断面図である。
【図１７】本発明に係るガス抜きキャップの更に他の変形例の平面図である。
【図１８】同ガス抜きキャップにおける図１７中のＡ−Ａ線断面図であり、通常使用時の説明図である。
【図１９】同ガス抜きキャップのガス抜き時の断面図である。
【図２０】本発明に係るガス抜きキャップの更に他の変形例の平面図である。
【図２１】同ガス抜きキャップにおける図２０中のＡ−Ａ線断面図であり、通常使用時の説明図である。
【図２２】同ガス抜きキャップのガス抜き時の断面図である。
【符号の説明】
【００６４】
７５０、７７０、７７５、７７６、７８０、８５０、８６０、９００；ガス抜きキャップ
５０１；キャップ本体
５１１、７１１、７５１、７６１、８１１、８５１、８６１、９６０、天板部
５１２、８１２、９７０；側壁部
７１２、７５２、７６２、８５２、８６２；第一側壁部
７１４、７５４、７６４、８５４、８６４；第二側壁部
５１３；開口部
５１７、７１３、７１５、７５３、７５５、７６３、７６５、８５３、８５５、８６３、８６５、９７１；嵌合突起
５０２；押圧部材
５２１；押圧突起
９５０；押ボタン部
９５２；噴射ノズル
３；エアゾール容器
３３；巻締め部
３５；ステム
３６；巻締め部
３７；押ボタン
【図１】
2006013789.tif 000002
【図２】
2006013789.tif 000003
【図３】
2006013789.tif 000004
【図４】
2006013789.tif 000005
【図５】
2006013789.tif 000006
【図６】
2006013789.tif 000007
【図７】
2006013789.tif 000008
【図８】
2006013789.tif 000009
【図９】
2006013789.tif 000010
【図１０】
2006013789.tif 000011
【図１１】
2006013789.tif 000012
【図１２】
2006013789.tif 000013
【図１３】
2006013789.tif 000014
【図１４】
2006013789.tif 000015
【図１５】
2006013789.tif 000016
【図１６】
2006013789.tif 000017
【図１７】
2006013789.tif 000018
【図１８】
2006013789.tif 000019
【図１９】
2006013789.tif 000020
【図２０】
2006013789.tif 000021
【図２１】
2006013789.tif 000022
【図２２】
2006013789.tif 000023
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
ステムを押圧して該ステムを通して内容物を噴射するエアゾール容器に装着されるキャップであって、
傾斜状態に配設された天板部と、
前記天板部の下方に周設され、下端部に前記エアゾール容器の巻締め部に嵌合可能な嵌合突起を備えた第一側壁部と、
前記天板部の上方に周設され、上端部に前記巻締め部に嵌合可能な嵌合突起を備えた第二側壁部と、を含み、
前記天板部から第二側壁部の上端部までの距離が、前記天板部から第一側壁部の下端部までの距離よりも小さく構成され、
前記第二側壁部に通孔又は通し溝が設けられており、
前記第二側壁部を前記エアゾール容器の巻締め部に嵌合することによって、傾斜した前記天板部でステムを押圧してガス抜きし得ることを特徴としたエアゾール容器のガス抜きキャップ。
【請求項２】
ステムを押圧して該ステムを通して内容物を噴射するエアゾール容器に装着されるキャップであって、
傾斜状態に配設された天板部と、
前記天板部の下方に周設され、下端部に前記エアゾール容器の一の巻締め部に嵌合可能な嵌合突起を備えた第一側壁部と、
前記天板部の上方に周設され、上端部に前記エアゾール容器の他の巻締め部に嵌合可能な嵌合突起を備えた第二側壁部と、を含み、
前記天板部から第二側壁部の上端部までの距離が、前記天板部から第一側壁部の下端部までの距離よりも小さく構成され、
前記第二側壁部に通孔又は通し溝が設けられており、
前記第二側壁部を前記エアゾール容器の巻締め部に嵌合することによって、傾斜した前記天板部でステムを押圧してガス抜きし得ることを特徴としたエアゾール容器のガス抜きキャップ。
【手続補正２】
【補正対象書類名】明細書
【補正対象項目名】全文
【補正方法】変更
【補正の内容】
【発明の詳細な説明】
【技術分野】
【０００１】
本発明は、エアゾール容器のガス抜きキャップに関し、より詳しくは、化粧品、塗料、殺虫剤、プロパンガス等の内容物を充填したエアゾール容器に装着するだけで簡単に内容物を放出させることができるガス抜きキャップに関する。
【背景技術】
【０００２】
従来、エアゾール容器に装着して内容物を放出させるガス抜きキャップとして、特許文献１に記載のものが知られている。これは、ガス抜き時に、キャップの天板部に設けた折曲板をキャップ内側へ折り曲げ、この状態でキャップをエアゾール容器に装着することによって折曲板の押圧部で押ボタンを押圧してガス抜きを行うというものである。そして、ガス抜きしない通常使用時（以下、本明細書において単に「通常使用時」という）には、押ボタン等を囲むカバーキャップとして使用される。
【０００３】
しかしながら、このガス抜きキャップは、内側へ折り曲げた折曲板をキャップ内で支えるための支持手段（固定板）を別個に設けなければならず、その分、キャップの構成要素が増え、製造コストの上昇を招く難点があった。また、通常使用時に、折曲板の押圧部や支持手段がキャップ内で大きく突出することになり、エアゾール容器の押ボタン等との干渉を回避する必要から、キャップ設計の自由度がかなり制限される難点があった。
【特許文献１】特開２００３−５４６６５号公報
【発明の開示】
【発明が解決しようとする課題】
【０００４】
本発明は、従来のガス抜きキャップに上記のような難点があったことに鑑みて為されたもので、エアゾール容器の押ボタン、ステム等を押圧する押圧部材をキャップ内で支えるための特別な支持手段を別個に設ける必要がなく、構成が極めて簡素なガス抜きキャップを提供することにある。
【０００５】
また、本発明の他の技術的課題は、通常使用時に、押圧部材がキャップ内で大きく突出することがなく、エアゾール容器の押ボタンやステム等と干渉するおそれのないガス抜きキャップを提供することにある。
【課題を解決するための手段】
【０００６】
本発明は、ステムを押圧して該ステムを通して内容物を噴射するエアゾール容器に装着されるキャップであって、
傾斜状態に配設された天板部と、前記天板部の下方に周設され、下端部に前記エアゾール容器の巻締め部に嵌合可能な嵌合突起を備えた第一側壁部と、前記天板部の上方に周設され、上端部に前記巻締め部に嵌合可能な嵌合突起を備えた第二側壁部と、を含み、
前記天板部から第二側壁部の上端部までの距離が、前記天板部から第一側壁部の下端部までの距離よりも小さく構成され、前記第二側壁部に通孔又は通し溝が設けられており、  前記第二側壁部を前記エアゾール容器の巻締め部に嵌合することによって、傾斜した前記天板部でステムを押圧してガス抜きし得ることを特徴とする。
【０００７】
また、本発明は、ステムを押圧して該ステムを通して内容物を噴射するエアゾール容器に装着されるキャップであって、
傾斜状態に配設された天板部と、前記天板部の下方に周設され、下端部に前記エアゾール容器の一の巻締め部に嵌合可能な嵌合突起を備えた第一側壁部と、前記天板部の上方に周設され、上端部に前記エアゾール容器の他の巻締め部に嵌合可能な嵌合突起を備えた第二側壁部と、を含み、
前記天板部から第二側壁部の上端部までの距離が、前記天板部から第一側壁部の下端部までの距離よりも小さく構成され、前記第二側壁部に通孔又は通し溝が設けられており、  前記第二側壁部を前記エアゾール容器の巻締め部に嵌合することによって、傾斜した前記天板部でステムを押圧してガス抜きし得ることを特徴とする。
【発明の効果】
【０００８】
本発明に係るガス抜きキャップによれば、エアゾール容器の押ボタン、ステム等を押圧する押圧部材をキャップ内で支えるための特別な支持手段を別個に設ける必要がないので、構成が極めて簡素で安価なガス抜きキャップを提供することができる。
【０００９】
しかも、通常使用時に、押圧部材が大きく突出することがないので、従来品のように、エアゾール容器の押ボタン等との干渉を考慮する必要がなく設計の自由度を確保することができる。
【発明を実施するための最良の形態】
【００１０】
以下、本発明に係るエアゾール容器のガス抜きキャップについて、図１及び図２を参照しながら説明する。
【００１１】
本実施形態のガス抜きキャップ７７０は、天板部７１１と、前記天板部７１１の下方に周設され、下端部に前記エアゾール容器の巻締め部に嵌合可能な嵌合突起７１３を備えた第一側壁部７１２と、前記天板部７１１の上方に周設され、上端部に前記巻締め部に嵌合可能な嵌合突起７１５を備えた第二側壁部７１４とから構成されている。そして、前記天板部７１１から第二側壁部７１４の上端部までの距離が、前記天板部７１１から第一側壁部７１２の下端部までの距離よりも小さく構成されており、前記第二側壁部７１４を前記エアゾール容器の巻締め部に嵌合することによって前記天板部でステムを押圧してガス抜きし得ることを特徴としている。
【００１２】
即ち、図１に示すように、ガス抜きキャップ７７０は、円筒状の第一側壁部７１２と第一側壁部７１２と同径円筒状の第二側壁部７１４とが同心状態で上下に連続しており、この円筒内面の中程に天板部７１１が傾斜状態に配設されて構成されている。そして、この天板部７１１の中央部から第二側壁部７１４の上端部までの距離Ｓを、前記天板部７１１から第一側壁部７１２の下端部までの距離Ｔよりも小さくしてある。そして、第一側壁部７１２の下端部の外面に、その全周に亘って嵌合突起７１３が設けられ、第二側壁部７１４の上端部の外面に、その全周に亘って嵌合突起７１５が設けられている。また、第二側壁部７１４の中程には、通孔７１６が開設されている。
【００１３】
ガス抜きキャップ７７０は、通常使用時には、図１に示すように、第一側壁部７１２の嵌合突起７１３をエアゾール容器３の巻締め部３６の内側の凹部に着脱自在に嵌合することによって、ガス抜きキャップ７７０がステム３５を囲むようにエアゾール容器３に着脱自在に装着される。この巻締め部３６は、ステム３５を備えるバルブユニット３４とトップドーム３２とを気密状態に連結するものである。このガス抜きキャップ７７０は、例えばカセットコンロ用のエアゾール容器のように、ステム３５に押ボタンが取付けられていないエアゾール容器に好適に使用できる。なお、巻締め部３３は、エアゾール容器３の容器本体３１とトップドーム３２とを気密状態に連結するものである。
【００１４】
ガス抜きをするときには、図２に示すように、ガス抜きキャップ７７０をエアゾール容器３から取り外した後、ガス抜きキャップ７７０を反転させ、その第二側壁部７１４の嵌合突起７１５をエアゾール容器３の巻締め部３６の内側凹部に嵌合させる。このことで、天板部７１１でエアゾール容器３のステム３５を押圧して、エアゾール容器３の内容物を、ステム３５を通してガス抜きキャップ７７０内へ放出させ、さらに通孔７１６を通して外部へ放出させる。
【００１５】
このように、ガス抜きキャップ７７０によれば、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。また、天板部７１１が傾斜状態に設けられているので、天板部７１１でステム３５を押圧する際、天板部７１１がステム３５の噴射孔を塞いでしまうこともない。
【００１６】
なお、このガス抜きキャップ７７０にあっては、天板部７１１の周縁部に直接、第一側壁部７１２及び第二側壁部７１４を設けているが、本発明は決してこれに限定されるものではなく、図３〜図６に示すガス抜きキャップ７７５のように、天板部７５１の周縁部に直接、内壁部７５７を設け、この内壁部７５７を介して、第二側壁部７５４及び第一側壁部７５２を設けるようにしても良い。
【００１７】
即ち、ガス抜きキャップ７７５は、図４に示すように、略円板形状の傾斜した天板部７５１の周縁部から上方へ向けて略円筒形状の内壁部７５７が立設されており、この内壁部７５７の上端部から外方へ向けて水平に上壁部７５８が設けられている。そして、この上壁部７５８の外周縁部から下方へ向けて略円筒形状の第二側壁部７５４が設けられ、更にこの第二側壁部７５４から下方へ向けて略円筒形状の第一側壁部７５２が設けられている。第二側壁部７５４と第一側壁部７５２とは上下に連続して一体に形成されている。
【００１８】
そして、図５に示すように、ガス抜きキャップ７７５においても、上記ガス抜きキャップ７７０と同様に、天板部７５１の中央部から第二側壁部７５４の上端部までの距離Ｓ１を、天板部７５１の中央部から第一側壁部７５２の下端部までの距離Ｔ１よりも小さくしてあり、第一側壁部７５２の下端部の外面に、その全周に亘って嵌合突起７５３が設けられ、第二側壁部７５４の上端部の外面に、その全周に亘って嵌合突起７５５が設けられている。また、図３及び図５に示すように、ガス抜きキャップ７７５の上部には、内壁部７５７、上壁部７５８、及び第二側壁部７５４に亘って通し溝７５６が形成されている。
【００１９】
ガス抜きキャップ７７５は、通常使用時には、図５に示すように、第一側壁部７５２の嵌合突起７５３をエアゾール容器３の巻締め部３６の内側の凹部に着脱自在に嵌合することによって、ガス抜きキャップ７７５がステム３５を囲むようにエアゾール容器３に着脱自在に装着される。
【００２０】
ガス抜きをするときには、図６に示すように、ガス抜きキャップ７７５をエアゾール容器３から取り外した後、ガス抜きキャップ７７５を反転させ、その第二側壁部７５４の嵌合突起７５５をエアゾール容器３の巻締め部３６の内側凹部に嵌合させる。このことで、天板部７５１でエアゾール容器３のステム３５を押圧して、エアゾール容器３の内容物を、ステム３５及び通し溝７５６を通して外部へ放出させる。
【００２１】
このように、ガス抜きキャップ７７５によれば、上述したガス抜きキャップ７７０と同様、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。
【００２２】
また、第二側壁部７５４に設けた通し溝７５６を通して内容物をキャップの側方へ放出させることができるので、ガス抜きキャップ７７５をエアゾール容器３に嵌合する際、作業者の手や指先等に内容物が付着してしまうおそれもない。この通し溝７５６または上記ガス抜きキャップ７７０の通孔７１６のサイズは、内容物の側方放出部分を視認し易くするために大きく形成することが好ましい。また、天板部７５１を傾斜させているので、天板部７５１でステム３５を押圧する際、天板部７５１がステム３５の噴射孔を塞いでしまうこともない。
【００２３】
更にまた、図７に示すガス抜きキャップ７７６のように構成しても良い。ガス抜きキャップ７７６は、図８に示すように、略円板形状の傾斜した天板部７６１の周縁部から上方へ向けて略円筒形状の内壁部７６７が立設されており、この内壁部７６７の上端部から外方へ向けて水平に上壁部７６８が設けられている。そして、この上壁部７６８の外周縁部から下方へ向けて略円筒形状の第二側壁部７６４が設けられ、更にこの第二側壁部７６４から下方へ向けて略円筒形状の第一側壁部７６２が設けられている。第二側壁部７６４と第一側壁部７６２とは上下に連続して一体に形成されている。
【００２４】
そして、図９に示すように、ガス抜きキャップ７７６においても、上記ガス抜きキャップ７７０と同様、天板部７６１の中央部から第二側壁部７６４の上端部までの距離Ｓ２を、天板部７６１の中央部から第一側壁部７６２の下端部までの距離Ｔ２よりも小さくしてあり、第一側壁部７６２の下端部の外面に、その全周に亘って嵌合突起７６３が設けられ、第二側壁部７６４の上端部の外面に、その全周に亘って嵌合突起７６５が設けられている。また、図７及び図９に示すように、ガス抜きキャップ７７６の上部外側には、第二側壁部７６４の上部に通し溝７６６が形成されている。
【００２５】
ガス抜きキャップ７７６は、通常使用時には、図９に示すように、第一側壁部７６２の嵌合突起７６３をエアゾール容器３の巻締め部３６の内側の凹部に着脱自在に嵌合することによって、ガス抜きキャップ７７６がステム３５を囲むようにエアゾール容器３に着脱自在に装着される。
【００２６】
ガス抜きをするときには、図１０に示すように、ガス抜きキャップ７７６をエアゾール容器３から取り外した後、ガス抜きキャップ７７６を反転させ、その第二側壁部７６４の嵌合突起７６５をエアゾール容器３の巻締め部３６の内側凹部に嵌合させる。このことで、天板部７６１でエアゾール容器３のステム３５を押圧して、エアゾール容器３の内容物を、ステム３５及び通し溝７６６を通して外部へ放出させる。
【００２７】
このように、ガス抜きキャップ７７６によれば、上述したガス抜きキャップ７７０と同様、キャップ自体を反転させてそのままエアゾール容器３の同じ巻締め部３６に取り付けるだけで、簡単にガス抜き操作を行うことができる。また、その構造が極めてシンプルなので、極めて安価なガス抜きキャップを市場に提供し得る。更にまた、側壁部の外側端部に設けられた嵌合突起によってキャップの着脱操作を容易に行うことができる。
【００２８】
また、第二側壁部７６４に設けた通し溝７６６を通して内容物をキャップの側方へ放出させることができるので、ガス抜きキャップ７７６をエアゾール容器３に嵌合する際、作業者の手や指先等に内容物が付着してしまうおそれもない。また、天板部７６１を傾斜させているので、天板部７６１でステム３５を押圧する際、天板部７６１がステム３５の噴射孔を塞いでしまうこともない。
【００２９】
更にまた、図１１〜図１３に示すガス抜きキャップ８６０のように構成しても良い。ガス抜きキャップ８６０は、天板部８６１と、天板部８６１の下方に設けられ、下端部にエアゾール容器の一の巻締め部に嵌合可能な嵌合突起８６３を備えた第一側壁部８６２と、前記天板部８６１の上方に設けられ、上端部にエアゾール容器の他の巻締め部に嵌合可能な嵌合突起８６５を備えた第二側壁部８６４とを含んで構成されている。そして、前記天板部８６１から第二側壁部８６４の上端部までの距離が、前記天板部８６１から第一側壁部８６２の下端部までの距離よりも小さく構成されており、前記第二側壁部８６４を前記エアゾール容器の巻締め部に嵌合することによって前記天板部でステムを押圧してガス抜きし得ることを特徴としている。
【００３０】
即ち、ガス抜きキャップ８６０は、図１１及び図１２に示すように、略円板形状の傾斜した天板部８６１の周縁部から上方へ向けて略円筒形状の内壁部８６７が立設され、この内壁部８６７の上端部から外方へ向けて水平に第一上壁部８６８が設けられ、この第一上壁部８６８の外周縁部から下方へ向けて略円筒形状の第二側壁部８６４が設けられている。そして更に、この第二側壁部８６４の下端部から外方へ向けて水平に第二上壁部８６９が設けられ、この第二上壁部８６９の外周縁部から上方へ向けて略円筒形状の中壁部８７０が設けられ、この中壁部８７０の上端部から外方へ向けて水平に第三上壁部８７１が設けられ、この第三上壁部８７１の外周縁部から下方へ向けて略円筒形状の外壁部８７２が設けられている。そして、この外壁部８７２から下方へ向けて略円筒形状の第一側壁部８６２が設けられている。外壁部８７２と第一側壁部８６２とは上下に連続して一体に形成されている。このように、ガス抜きキャップ８６０の上部には、第二側壁部８６４、第二上壁部８６９及び中壁部８７０によって、エアゾール容器３の内側の巻締め部３６を受入れ可能な環状溝部８７３が形成されている。
【００３１】
そして、天板部８６１の中央部から第二側壁部８６４の上端部までの上下方向の距離Ｓ４を、天板部８６１の中央部から第一側壁部８６２の下端部までの距離Ｔ４よりも小さくしてある。また、第一側壁部８６２の下端部の内面に、複数の嵌合突起８６３が設けられ、第二側壁部８６４の上端部の外面に、複数の嵌合突起８６５が設けられている。また、図１１及び図１２に示すように、ガス抜きキャップ８６０の上部には、内壁部８６７、第一上壁部８６８、第二側壁部８６４、第二上壁部８６９、中壁部８７０、第三上壁部８７１、及び外壁部８７２に亘って、環状溝部８７３を切るように通し溝８６６が形成されている。
【００３２】
ガス抜きキャップ８６０は、通常使用時には、図１２に示すように、第一側壁部８６２の嵌合突起８６３をエアゾール容器３の外側の巻締め部３３の外側凹部に着脱自在に嵌合することによって、ガス抜きキャップ８６０がステム３５及び押ボタン３７を囲むようにエアゾール容器３に着脱自在に装着される。
【００３３】
ガス抜きをするときには、図１３に示すように、ガス抜きキャップ８６０をエアゾール容器３から取り外し、ステム３５から押ボタンを取り外した後、ガス抜きキャップ８６０を反転させ、その第二側壁部８６４の嵌合突起８６５をエアゾール容器３の内側の巻締め部３６の内側凹部に嵌合させる。このことで、天板部８６１でエアゾール容器３のステム３５を押圧して、エアゾール容器３の内容物を、ステム３５及び通し溝８６６を通して外部へ放出させる。
【００３４】
このように、ガス抜きキャップ８６０によれば、キャップ自体を反転させてエアゾール容器３の巻締め部３６に取り付けるだけで、簡単にガス抜き操作を行うことができる。また、その構造が極めてシンプルなので、極めて安価なガス抜きキャップを市場に提供し得る。更にまた、通し溝８６６を通して内容物をキャップの側方へ放出させることができるので、ガス抜きキャップ８６０をエアゾール容器３に嵌合する際、作業者の手や指先等に内容物が付着してしまうおそれもない。この通し溝８６６のサイズは、内容物の側方放出部分を視認し易くするために大きく形成することが好ましい。また、天板部８６１を傾斜させているので、天板部８６１でステム３５を押圧する際、天板部８６１がステム３５の噴射孔を塞いでしまうこともない。
【００３５】
本発明はその趣旨を逸脱しない範囲内で、当業者の知識に基づき種々なる改良、修正、変形を加えた態様で実施し得るものである。また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【図面の簡単な説明】
【００３６】
【図１】本発明に係るガス抜きキャップの通常使用時の断面図である。
【図２】同ガス抜きキャップのガス抜き時の断面図である。
【図３】本発明に係るガス抜きキャップの変形例の説明図であり、同図（ａ）は平面図であり、同図（ｂ）は正面図である。
【図４】同ガス抜きキャップにおける図３中のＡ−Ａ線断面図である。
【図５】同ガス抜きキャップにおける図３中のＢ−Ｂ線断面図である。
【図６】同ガス抜きキャップのガス抜き時の断面図である。
【図７】本発明に係るガス抜きキャップの他の変形例の説明図であり、同図（ａ）は平面図であり、同図（ｂ）は正面図である。
【図８】同ガス抜きキャップにおける図７中のＡ−Ａ線断面図である。
【図９】同ガス抜きキャップにおける図７中のＢ−Ｂ線断面図である。
【図１０】同ガス抜きキャップのガス抜き時の断面図である。
【図１１】本発明に係るガス抜きキャップの更に他の変形例の平面図である。
【図１２】同ガス抜きキャップにおける図１１中のＡ−Ａ線断面図であり、通常使用時の説明図である。
【図１３】同ガス抜きキャップのガス抜き時の断面図である。
【符号の説明】
【００３７】
７７０、７７５、７７６、８６０；ガス抜きキャップ
７１１、７５１、７６１、８６１；天板部
７１２、７５２、７６２、８６２；第一側壁部
７１４、７５４、７６４、８６４；第二側壁部
７１３、７１５、７５３、７５５、７６３、７６５、８６３、８６５；嵌合突起
３；エアゾール容器
３３；巻締め部
３５；ステム
３６；巻締め部
３７；押ボタン
【手続補正３】
【補正対象書類名】図面
【補正対象項目名】全図
【補正方法】変更
【補正の内容】
【図１】
2006013789.tif 000024
【図２】
2006013789.tif 000025
【図３】
2006013789.tif 000026
【図４】
2006013789.tif 000027
【図５】
2006013789.tif 000028
【図６】
2006013789.tif 000029
【図７】
2006013789.tif 000030
【図８】
2006013789.tif 000031
【図９】
2006013789.tif 000032
【図１０】
2006013789.tif 000033
【図１１】
2006013789.tif 000034
【図１２】
2006013789.tif 000035
【図１３】
2006013789.tif 000036
【国際調査報告】
2006013789.tif 000037
2006013789.tif 000038
2006013789.tif 000039
2006013789.tif 000040